(57)【特許請求の範囲】
【請求項１】
ロール紙を収容する収容部と、
補充用のロール紙を装填する補充部と、
前記収容部のロール紙を搬送する搬送路と、
前記収容部の使用中のロール紙が、ニアエンド状態になったことを検出するニアエンドセンサと、
前記補充部の補充用のロール紙の存在を検出する補充用ロール紙検出センサと、
前記搬送路上の使用中のロール紙の存在を検出するエンドセンサと、を備えたロール紙供給装置であって、
前記補充部に、補充用のロール紙が装填されるときに、前記補充用ロール紙検出センサが、前記補充部に装填された補充用のロール紙を検出しており、かつ前記ニアエンドセンサが前記収容部のロール紙を検出している場合に、前記エンドセンサが前記使用中のロール紙の存在を検出しているときは、補充用のロール紙の誤装填と判定し、前記誤装填を報知することを特徴とするロール紙供給装置。
【請求項２】
請求項１において、
前記ニアエンドセンサが、前記ロール紙のニアエンド状態を検出しており、かつ前記補充用ロール紙検出センサが、前記補充部の補充用のロール紙を検出していない場合に、前記補充用のロール紙のロール紙切れを通知することを特徴とするロール紙供給装置。
【請求項３】
請求項１または請求項２において、
前記ロール紙が、巻芯の無いロール紙であることを特徴とするロール紙供給装置。
【請求項４】
請求項１ないし請求項３のいずれか一項において、
前記補充部に補充用のロール紙を装填するときに開閉する保守扉を設けると共に、前記保守扉側に警報ランプを設け、
前記誤装填の報知は、前記警報ランプにより行うことを特徴とするロール紙供給装置。
【発明の詳細な説明】
【技術分野】
【０００１】
本発明は、ロール紙に取引内容等の印刷を行う明細票印刷部等のロール紙供給装置に関する。
【背景技術】
【０００２】
従来の現金自動預払機に設置された明細票印刷部等のロール紙供給装置は、収容部に収容された巻芯の無いロール紙を搬送路で印刷部へ搬送して取引内容等を印刷し、これをカッタ部で所定の長さに切断して明細票を発行し、明細票の発行に伴ってロール紙の外径が徐々に小さくなって、ロール紙がニアエンド状態になったことをニアエンドセンサで検出した場合に、ロール状媒体ガイドを移動させて、そこに設置された可動光センサを爪部の近傍に配置された固定光センサに対向させ、ロール紙の残量が明細票の２〜３枚分になって収容部のロール紙が無くなり、その最終端が爪部の近傍の可動光センサと固定光センサとの間を通過したときに、ロール紙が無くなりかけていることを係員に報知している（例えば、特許文献１参照。）。
【特許文献１】特開平１１−７９４９１号公報（主に、段落００２４−００２８、第１図）
【発明の開示】
【発明が解決しようとする課題】
【０００３】
しかしながら、上述した従来の技術においては、収容部のロール紙の残量が明細票の２〜３枚分になって収容部のロール紙が無くなったことをセンサで検出して係員に報知しているため、取引頻度の高い現金自動預払機においては、ロール紙の補給が間に合わなくなる場合があり、ロール紙切れが生ずると、現金自動預払機が停止して稼動効率を低下させるという問題がある。
【０００４】
このため、明細票印刷部に複数の補充用のロール紙を予め装填しておき、収容部のロール紙が無くなったときに、自動的に補充用のロール紙を収容部に移載してロール紙切れを防止することが行われている。
この場合に、収容部にニアエンド状態のロール紙が存在している場合に、係員が補充用のロール紙を誤って装填、例えば補充用のロール紙の補充部が２箇所の場合に、誤って３つの補充用のロール紙を装填してしまったときは、収容部に存在する使用中のニアエンド状態のロール紙を補充用のロール紙が圧迫して、搬送路における搬送負荷が増大し、明細票の印刷不良が発生する場合があるという問題がある。
【０００５】
このことは、巻芯の無いロール紙の場合は、その剛性が低いために特に顕著になる。
本発明は、上記の問題点を解決するためになされたもので、補充用のロール紙の補充部を有するロール紙供給装置において、補充用のロール紙の誤装填を防止する手段を提供することを目的とする。
【課題を解決するための手段】
【０００６】
本発明は、上記課題を解決するために、ロール紙を収容する収容部と、補充用のロール紙を装填する補充部と、前記収容部のロール紙を搬送する搬送路と、前記収容部の使用中のロール紙が、ニアエンド状態になったことを検出するニアエンドセンサと、前記補充部の補充用のロール紙の存在を検出する補充用ロール紙検出センサと、前記搬送路上の使用中のロール紙の存在を検出するエンドセンサと、を備えたロール紙供給装置であって、前記補充部に、補充用のロール紙が装填されるときに、前記補充用ロール紙検出センサが、前記補充部に装填された補充用のロール紙を検出しており、かつ前記ニアエンドセンサが前記収容部のロール紙を検出している場合に、前記エンドセンサが前記使用中のロール紙の存在を検出しているときは、補充用のロール紙の誤装填と判定し、前記誤装填を報知することを特徴とする。
【発明の効果】
【０００７】
これにより、本発明は、補充用のロール紙の装填作業を行う係員に対して、その場で誤装填を報知して係員による補充用ロール紙の誤装填を防止することができ、補充用ロール紙の装填状態を正常にして、搬送路における搬送負荷の増大を防止することができるという効果が得られる。
【発明を実施するための最良の形態】
【０００８】
以下に、図面を参照して本発明によるロール紙供給装置の実施例について説明する。
【実施例】
【０００９】
図１は実施例の現金自動預払機を示すブロック図、図２は実施例の現金自動預払機の外観を示す説明図、図３は実施例の明細票印刷部を示すブロック図、図４は実施例の明細票印刷部の概略構成を示す説明図、図５は実施例のロール紙の補充処理を示すフローチャート、図６は実施例の補充用ロール紙の誤装填判定処理を示すフローチャートである。
図１、図２において、１は自動取引装置としての現金自動預払機であり、銀行や日本郵政株式会社等の金融機関の支店や郵便局、コンビニエンスストア等の店舗に設置され、顧客との間での取引処理を自動で行う。
【００１０】
２は金融機関のセンタに設置された上位装置としてのホストコンピュータであり、店舗に設置されている現金自動預払機１と専用回線や電話回線等の通信回線３を介して接続しており、口座開設者である顧客を個別に識別するための顧客識別子に対応させて顧客の口座の金融機関名や口座番号等の口座情報やその暗証番号、口座残高等の顧客情報を格納する顧客情報データベース４を保有して顧客の口座を管理する。
【００１１】
５は現金自動預払機１の主制御部であり、通信回線３を介してホストコンピュータ２と接続しており、現金自動預払機１内の各部を制御して取引処理等を実行すると共にデータ通信等も制御する。
６は主記憶部であり、主制御部５が実行するプログラムやそれに用いる各種のデータおよび主制御部５による処理結果等が格納される。
【００１２】
７は操作表示部であり、現金自動預払機１の前面に設けられ、ＣＲＴやＬＣＤ等の表示画面とタッチパネル等の入力手段との組合せで構成されており、表示画面に取引選択画面や各種の入力画面、顧客の処置を促す画面等を表示する他、入力手段により顧客からの入力を受付ける。
８はカード取扱部であり、カード挿入口８ａから挿入された顧客のキャッシュカードやクレジットカード等の取引カードの磁気ストライプやＩＣチップ等に記録されている識別子や口座情報等のカード情報を読み書きする機能を有している。
【００１３】
９は通帳取扱部であり、通帳挿入口９ａから挿入された顧客の通帳の磁気ストライプやＩＣチップ等に記録されている通帳情報を読み書きする機能を有すると共に取引内容等を顧客の通帳に記帳する機能を有している。
１０は紙幣入出金部であり、入金取引時等に紙幣入出金口１０ａによって顧客が投入した紙幣を受入れ、これを鑑別および計数して収納庫に収納し、出金取引時等に収納庫から顧客に支払う紙幣を繰出し、これを計数して紙幣入出金口１０ａから排出して顧客に引渡す機能を有している。
【００１４】
１１は硬貨入出金部であり、入金取引時等に硬貨入出金口１１ａによって顧客が投入した硬貨を受入れ、これを鑑別および計数して収納庫に収納し、出金取引時等に収納庫から顧客に支払う硬貨を繰出し、これを計数して硬貨入出金口１１ａから排出して顧客に引渡す機能を有している。
１２は係員操作部であり、現金自動預払機１の背面側に設けられ、ＬＣＤ等の表示画面とタッチパネル等の入力手段との組合せで構成されており、表示画面に係員が行う業務処理や取引モードの設定等を行う業務選択画面を表示すると共に、入力手段により係員からの入力を受付ける。
【００１５】
１３はジャーナル印刷部であり、印刷ヘッドおよびこれに対向配置されたプラテン等を備えており、現金自動預払機１による顧客との取引処理の履歴等をジャーナル用紙に印刷して保存する機能を有している。
１４はロール紙供給装置としての明細票印刷部であり、顧客との取引における取引内容等をロール紙２３（後述）に印刷し、これを明細票の長さに切断する機能を備えている。
【００１６】
本実施例の明細票印刷部１４は、箱状のフレーム１６（図４参照）に収納されて、カード取扱部８に併設されており、所定の長さに切断された明細票はカード挿入口８ａから発行される。
図３において、２１は明細票印刷部１４の制御部であり、主制御部５からの指令により明細票印刷部１４内の各部を制御して、明細票の印刷処理等を実行する機能を有している。
【００１７】
２２は記憶部であり、制御部２１が実行するプログラムやそれに用いる各種のデータおよび制御部２１による処理結果等が格納される。
図４において、２３はロール紙であり、帯状の感熱紙を、巻芯のない状態で巻きつけてロール状に形成されている。
２４は印刷部であり、感熱式の印刷ヘッドおよびこれに対向配置されたプラテンを備えており、対向配置された複数のローラ対やベルト対等により形成された搬送路２５を搬送されたロール紙２３に、制御部２１からの指令により、取引内容等の明細票の記載内容を印刷する機能を有している。
【００１８】
２６はエンドセンサであり、発光部と受光部とを、搬送路２５を搬送されるロール紙２３を挟んで対向配置した光学式のセンサであって、ロール紙２３が発光部からの光を遮断しているために受光部が受光していないときは、搬送路２５上にロール紙２３が存在することを示すＯＮ信号を、受光部が光を受光したときはロール紙２３の最終端が通過したことを示すＯＦＦ信号を制御部２１へ送信する。
【００１９】
２７はカッタ部であり、ロール紙２３を切断するためのカッタを備えており、制御部２１からの指令により、ロール紙２３を明細票の長さに切断する機能を有している。
３０は収容部であり、明細票の印刷に用いる使用中のロール紙２３を載置すると共にロール紙２３の外径部を摩擦により図４に示すＡ方向に回転させる送りベルト３１、ロール紙２３をガイドするガイド面３２ａおよびロール紙２３の先端を剥離する爪部３２ｂ等を有するロール紙ガイド３２等を備えている。
【００２０】
３４は補充部であり、使用中のロール紙２３が無くなったときの補充用のロール紙２３（以下、補充用ロール紙３５という。）が装填される部位であって、補充用ロール紙３５を載置する円弧状の凹部３６を有し、収容部３０側の端部に設けられた回転支点３７を中心に回動する片持状の移載レバー３８等を備えている。
本実施例の補充部３４は、収容部３０から離れる方向に２箇所設けられており、以下の説明においては、収容部３０と隣合う側を補充部３４ａ、補充部３４ａを挟んだ反対側を補充部３４ｂという。
【００２１】
３９は新たな補充用ロール紙３５を装填するための保守扉であり、明細票印刷部１４の補充部３４ｂの、収容部３０の反端側のフレーム１６（フレーム１６の背面という。）にヒンジを介して開閉可能に取付けられており、その開口端には、リミットスイッチ等の開閉検出センサ４０が設けられている。
また、フレーム１６の背面側、つまり明細票印刷部１４の補充部３４ｂ側の係員の視認可能な位置には、装填作業中の係員に補充用ロール紙３５の誤装填を報知するための警報ランプ４１が設けられている。
【００２２】
４２は収容部３０に設けられたロール紙検出センサであり、エンドセンサ２６と同様の光学式のセンサであって、送りベルト３１上に載置されロール紙ガイド３２にガイドされて収容部３０に収容されたロール紙２３の存在を検出する機能、そのロール紙２３の最終端が爪部３２ｂの先端を通過したことを検出する機能を有しており、発光部からの光を受光部が受光していないときはロール紙２３が存在することを示すＯＮ信号を、受光部が光を受光しているときはロール紙２３の最終端が爪部３２ｂの先端を通過したことを示すＯＦＦ信号を制御部２１へ送信する。
【００２３】
４３は収容部３０に設けられたニアエンドセンサであり、エンドセンサ２６と同様の光学式のセンサであって、収容部３０に収容された使用中のロール紙２３の残量が少なくなって所定の外径、例えば残量が所定の発行数（本実施例では３０取引分の明細票の発行数）に相当する外径まで小さくなったことを検出する機能を有しており、発光部からの光を受光部が受光していないときは残量に余裕がある使用中のロール紙２３が存在することを示すＯＮ信号を、受光部が光を受光しているときは使用中のロール紙２３がニアエンド状態になったことを示すＯＦＦ信号を制御部２１へ送信する。
【００２４】
本実施例のニアエンドセンサ４３は、その光軸が、図４に示す補助線Ｂのように、ロール紙２３の巻芯に相当する中心部の空間を形成する内径の垂直方向の下方で、ロール紙２３が明細票の発行に伴って外径が小さくなってニアエンド状態になったときに、その外径となる位置（図７参照）に設置されている。
４４は補充部３４に設けられた補充用ロール紙検出センサであり、エンドセンサ２６と同様の光学式のセンサであって、移載レバー３８の凹部３６に載置された補充用ロール紙３５の存在を検出する機能を有しており、発光部からの光を受光部が受光していないときは補充用ロール紙３５が存在することを示すＯＮ信号を、受光部が光を受光しているときは補充用ロール紙３５が存在しないこと、つまり補充部３４が空であることを示すＯＦＦ信号を制御部２１へ送信する。
【００２５】
本実施例の現金自動預払機１の主記憶部６には、顧客が選択した取引の入力を受付け、これを基にホストコンピュータ２と交信して顧客との取引処理を自動で行う機能等を有する通常の取引処理プログラムが予め格納されており、主制御部５が実行する取引処理プログラムのステップにより本実施例の現金自動預払機１のハードウェアとしての各機能手段が形成される。
【００２６】
本実施例のホストコンピュータ２には、現金自動預払機１と交信して本人認証や顧客の口座の入出金を管理する機能等を有する通常の勘定方管理プログラムがインストールされており、ホストコンピュータ２が実行する勘定方管理プログラムのステップにより本実施例のホストコンピュータ２のハードウェアとしての各機能手段が形成される。
本実施例の明細票印刷部１４の記憶部２２には、主制御部５からの指令によりロール紙２３に取引内容等を印刷する通常の明細票の印刷処理や、図５を用いて説明するロール紙２３の補充処理、図６を用いて説明する補充用ロール紙３５の誤装填判定処理等を実行する機能を有するロール紙処理プログラムが予め格納されており、制御部２１が実行するロール紙処理プログラムのステップにより本実施例の明細票印刷部１４のハードウェアとしての各機能手段が形成される。
【００２７】
また、記憶部２２には、ロール紙２３のニアエンドの誤判定を防止するためのニアエンド判定待機回数（本実施例では１０取引分の明細票の発行回数）が予め設定されて格納されている。
この場合のニアエンドの誤判定としては、ロール紙２３の一部に弛みがあって、その弛みにより形成された空間をニアエンドセンサ４３の光軸が通過した場合、ロール紙２３に偏心がある場合、ロール紙２３が楕円状に変形している場合、外力等によりロール紙２３が跳ねて、ロール紙２３の中心部の空間をニアエンドセンサ４３の光軸が通過した場合等が想定される。
【００２８】
以下に、図５に示すフローチャートを用い、Ｓで示すステップに従って本実施例のロール紙の補充処理について説明する。
金融機関の店舗の係員が、始業時等に現金自動預払機１へ電源を投入すると、現金自動預払機１の主記憶部６に格納されている取引処理プログラムが自動的に起動されると共に、明細書印刷部１４の記憶部２２に格納されているロール紙処理プログラムが自動的に起動される。
【００２９】
なお、以下の説明においては、明細書印刷部１４の補充部３４ａ、３４ｂにはそれぞれ補充用ロール紙３５が１つずつ載置され、収容部３０のロール紙２３は、搬送路２５によりカッタ部２７まで搬送された状態、つまりロール紙２３が印刷可能な運用状態で待機している場合を例に説明する。
Ｓ１、明細票印刷部１４の制御部２１は、ロール紙処理プログラムにより明細票の印刷処理を実行しながら、収容部３０のニアエンドセンサ４３からのＯＦＦ信号の着信を待って待機しており、図７に示すように、明細票の発行に伴って使用中のロール紙２３の外径が小さくなってニアエンドセンサ４３の光軸より小さくなったことを検出したＯＦＦ信号を受信したときにステップＳ２へ移行する。
【００３０】
ニアエンドセンサ４３からのＯＦＦ信号を受信しない場合は、前記の待機を継続する。
Ｓ２、ニアエンドセンサ４３からのＯＦＦ信号を受信した制御部２１は、記憶部２２からニアエンド判定待機回数を読出してニアエンド判定待機回数（本実施例では１０取引分の明細票の発行回数）の経過を待って待機し、ニアエンド判定待機回数の経過を判定したときにステップＳ３へ移行する。
【００３１】
Ｓ３、ニアエンド判定待機回数の経過を判定した制御部２１は、ニアエンドセンサ４３からの検出信号を確認し、ＯＦＦ信号が送信されているときは、収容部３０の使用中のロール紙２３の残量が少なくなって、真にニアエンド状態になったこと判定してステップＳ４へ移行する。
ニアエンドセンサ４３からＯＮ信号が送信されている場合は、ニアエンドの誤判定であったと判定してステップＳ１へ戻り、上記したニアエンドセンサ４３からのＯＦＦ信号の着信を待っての待機を継続する。
【００３２】
Ｓ４、ロール紙２３がニアエンド状態になったことを判定した制御部２１は、補充部３４ａ、３４ｂの補充用ロール紙検出センサ４４の検出信号を確認し、少なくとも補充部３４ａの補充用ロール紙検出センサ４４がＯＮ信号を送信しているときは、補充用ロール紙３５の存在を判定してステップＳ５へ移行する。
両方の補充用ロール紙検出センサ４４がＯＦＦ信号を送信している場合は、補充用ロール紙３５が存在しないこと、つまり補充部３４ａ、３４ｂが空であることを判定して、接続子Ａを介してステップＳＡ１（図６）へ移行する。
【００３３】
Ｓ５、補充用ロール紙３５の存在を判定した制御部２１は、ロール紙検出センサ４２からのＯＦＦ信号の着信を待って待機し、ロール紙検出センサ４２からのＯＦＦ信号を受信したとき、つまり使用中のロール紙２３の最終端が爪部３２ｂの先端を通過した信号を受信したときに、ステップＳ６へ移行する。
ロール紙検出センサ４２からのＯＦＦ信号を受信しない場合は、前記の待機を継続する。
【００３４】
Ｓ６、ロール紙検出センサ４２からのＯＦＦ信号を受信した制御部２１は、エンドセンサ２６からのＯＦＦ信号の着信を待って待機し、エンドセンサ２６が使用中のロール紙２３の最終端の通過を検出したＯＦＦ信号を受信したときに、収容部３０が空になったことを判定してステップＳ７へ移行する。
エンドセンサ２６からのＯＦＦ信号を受信しない場合は、前記の待機を継続する。
【００３５】
Ｓ７、収容部３０が空になったことを判定した制御部２１は、搬送路２５上の残余のロール紙２３を図示しない回収庫へ搬送して除去した後に、補充部３４ａの移載レバー３８を回転支点３７を中心として収納部３０の方向へ回動させ、凹部３６に載置されている補充用ロール紙３５を、送りベルト３１上に移動させ、ロール紙ガイド３２の案内面３２ａに当接させて、補充部３４ａの補充用ロール紙３５を収容部３０へ移載する。
【００３６】
次いで、補充部３４ｂの補充用ロール紙検出センサ４４がＯＮ信号を送信していることを確認し、補充部３４ｂの移載レバー３８を、回転支点３７を中心として補充部３４ａの方向へ回動させ、凹部３６に載置されている補充用ロール紙３５を、補充部３４ａの移載レバー３８の凹部３６に移動させ、補充部３４ｂの補充用ロール紙３５を補充部３４ａへ移載する。
【００３７】
この場合に、補充部３４ｂの補充用ロール紙検出センサ４４がＯＦＦ信号を送信しているときは、補充部３４ａへの補充用ロール紙３５の移載を省略する。
また、補充部３４ａへの補充用ロール紙３５の移載は、下記ステップＳ８の後に行ってもよく、明細票発行の待機時間に行うようにしてもよい。
Ｓ８、補充用ロール紙３５の移載を終えた制御部２１は、送りベルト３１を駆動して送りベルト３１上のロール紙２３をＡ方向（図４参照）に回転させ、その先端を爪部３２ｂで剥離して搬送路２５へ繰出し、先端がエンドセンサ２６を通過（ＯＮ信号送信）し、カッタ部２７に達したことを確認してロール紙２３の搬送を停止させ、ロール紙２３を印刷可能な運用状態にする。
【００３８】
Ｓ９、ロール紙２３を運用状態にした制御部２１は、補充部３４ａ、３４ｂの補充用ロール紙検出センサ４４の検出信号を確認し、補充用ロール紙検出センサ４４がＯＦＦ信号を送信している補充部３４（３４ｂまたは３４ａ、３４ｂの両方）を確認して、空になった補充部３４を主制御部５に通知し、主制御部５は係員操作部１２の画面に、空になった補充部３４を表示する。
【００３９】
その後に、制御部２１は、空になった収容部３０へのロール紙２３の補充処理を終了させ、ステップＳ１へ戻って、上記したニアエンドセンサ４３からのＯＦＦ信号の着信を待って待機する。
このようにして、本実施例のロール紙２３の補充処理が実行される。
以下に、図６に示すフローチャートを用い、ＳＡで示すステップに従って本実施例の補充用ロール紙３５の誤装填判定処理について説明する。
【００４０】
ＳＡ１、ロール紙２３のニアエンド状態を判定したときに、補充部３４が空であることを判定して、ステップＳ４（図５）から接続子Ａを介して移行した制御部２１は、明細票の印刷処理を継続しながら、補充部３４ａ、３４ｂに補充用ロール紙３５が存在しない旨の補充用ロール紙切れ通知を現金自動預払機１の主制御部５へ送信する。
これを受信した主制御部５は、店舗の図示しない管理端末等へ補充用ロール紙切れ通知を送信して、係員に補充用ロール紙３５の補給を促し、係員は現金自動預払機１へ補充用ロール紙３５を持参する。
【００４１】
ＳＡ２、補充用ロール紙切れ通知の送信後に、明細票の印刷処理との並行処理により、保守扉３９の開閉検出センサ４０からの開信号の着信を待って待機していた制御部２１は、開閉検出センサ４０からの開信号を受信したときにステップＳＡ３へ移行する。
開閉検出センサ４０からの開信号を受信しない場合は、前記の待機を継続する。
ＳＡ３、開閉検出センサ４０からの開信号を受信した制御部２１は、補充部３４ａ、３４ｂの補充用ロール紙検出センサ４４からの検出信号を監視しながら待機し、両方の補充用ロール紙検出センサ４４がいずれもＯＮ信号を送信していることを確認したときにステップＳＡ４へ移行する。
【００４２】
いずれか一方または両方の補充用ロール紙検出センサ４４がＯＦＦ信号を送信している場合は、前記の待機を継続する。
ＳＡ４、両方の補充用ロール紙検出センサ４４がいずれもＯＮ信号を送信していることを確認した制御部２１は、ニアエンドセンサ４３からの検出信号を確認し、ＯＦＦ信号が送信されているときは、補充部３４ａ、３４ｂに補充用ロール紙３５が正常に装填されたこと（例えば、図７に示すロール紙２３が更に小さな外径になった状態）を判定してステップＳＡ７へ移行する。
【００４３】
ニアエンドセンサ４３からＯＮ信号が送信されている場合は、ステップＳＡ５へ移行する。
ＳＡ５、ニアエンドセンサ４３からＯＮ信号が送信されていることを確認した制御部２１は、エンドセンサ２６からの検出信号を確認し、ＯＦＦ信号が送信されているときは、収容部３０に残留していたニアエンド以下の外径になったロール紙２３が抜取られた後に、新たなロール紙２３が係員により収容部３０に装填され、補充部３４ａ、３４ｂに補充用ロール紙３５が、図４に示す状態に正常に装填されたことを判定してステップＳＡ７へ移行する。
【００４４】
エンドセンサ２６からＯＮ信号が送信されている場合は、図８に示す補充用ロール紙３５が３つ装填され、外径が小さくなったロール紙２３が圧迫されている状態等の誤装填と判定してステップＳＡ６へ移行する。
ＳＡ６、補充用ロール紙３５の誤装填を判定した制御部２１は、フレーム１６の背面側に設けられた警報ランプ４１を点滅させて係員に補充用ロール紙３５の誤装填を報知し、ステップＳＡ３へ戻って、補充部３４ａ、３４ｂの補充用ロール紙検出センサ４４からの検出信号を監視しながら待機する。
【００４５】
報知によりその場で補充用ロール紙３５の誤装填に気付いた係員は、装填した補充用ロール紙３５を一旦取出す等して、収容部３０の使用中のロール紙２３への補充用ロール紙３５による圧迫を解除し、改めて補充用ロール紙３５を装填して補充部３４ａ、３４ｂに載置する。
ＳＡ７、補充部３４ａ、３４ｂへ補充用ロール紙３５が正常に装填されたことを判定した制御部２１は、保守扉３９の開閉検出センサ４０からの閉信号の着信を待って待機し、開閉検出センサ４０からの閉信号を受信したときにステップＳＡ８へ移行する。
【００４６】
開閉検出センサ４０からの閉信号を受信しない場合は、前記の待機を継続する。
ＳＡ８、開閉検出センサ４０からの閉信号を受信した制御部２１は、エンドセンサ２６からの検出信号を確認し、ＯＦＦ信号が送信されているときは、上記ステップＳＡ４で判定した収容部３０に新たなロール紙２３が装填されていることを判定し、接続子Ｂを介して上記したステップＳ８（図５）へ移行して、新たなロール紙２３の先端を繰出して、ロール紙２３を運用状態にする。
【００４７】
エンドセンサ２６からＯＮ信号が送信されているときは、補充用ロール紙３５の装填が正常に終了したことを判定して、接続子Ｃを介して上記したステップＳ１（図５）へ戻り、ニアエンドセンサ４３からのＯＦＦ信号の着信を待って待機する。
このように、本実施例においては、保守扉３９が開かれた後の補充用ロール紙３５の装填時に、補充用ロール紙検出センサ４４が、補充部３４ａ、３４ｂに装填された補充用ロール紙３５を検出しており、かつニアエンドセンサ４３が収容部３０のロール紙２３を検出している場合において、エンドセンサ２６が使用中のロール紙２３の存在を検出しているときは、補充用ロール紙３５の誤装填と判定するので、補充用ロール紙３５の装填作業を行う係員に対してその場で誤装填を報知することができ、係員は、補充用ロール紙３５の誤装填に気付いて、収容部３０に存在する使用中のロール紙２３の補充用ロール紙３５による圧迫を解除して、補充用ロール紙３５を正常な装填状態に戻すことができ、搬送路２５における搬送負荷の増大を防止して、明細票の印刷不良等の発生を防止することができる。
【００４８】
また、補充部３４を有する明細票印刷部１４において、使用中のロール紙２３がニアエンド状態になり、かつ補充部３４ａ、３４ｂに補充用ロール紙３５が存在しない場合に、補充用ロール紙３５のロール紙切れを通知するので、取引頻度の高い現金自動預払機１であっても、時間的な余裕を持って、補充用ロール紙２３の補給を行うことができ、使用中のロール紙２３のロール紙切れを防止して、現金自動預払機１の稼動効率を向上させることができる。
【００４９】
更に、補充用ロール紙３５の誤装填を判定したときに、明細票印刷部１４のフレーム１６の保守扉３９側に配置された警報ランプ４１により補充用ロール紙３５の誤装填を報知するので、係員は、現金自動預払機１で取引を行う顧客に気付かれることなく、視認により補充用ロール紙３５の誤装填に気付くことができ、警報による無用の混乱を防止することができる。
【００５０】
以上説明したように、本実施例では、明細票印刷部に、収容部の使用中のロール紙のニアエンド状態を検出するニアエンドセンサと、補充部の補充用ロール紙の存在を検出する補充用ロール紙検出センサと、搬送路上の使用中のロール紙の存在を検出するエンドセンサとを設け、補充部に補充用ロール紙が装填されるときに、補充用ロール紙検出センサが、補充部に装填された補充用ロール紙を検出しており、かつニアエンドセンサが収容部のロール紙を検出している場合に、エンドセンサが使用中のロール紙の存在を検出しているときは、補充用ロール紙の誤装填と判定するようにしたことによって、補充用ロール紙の装填作業を行う係員に対して、その場で誤装填を報知して係員による補充用ロール紙の誤装填を防止することができ、補充用ロール紙の装填状態を正常にして搬送路における搬送負荷の増大を防止することができ、明細票の印刷不良等の発生を防止することができる。
【００５１】
なお、上記実施例においては、ロール紙は感熱紙であるとして説明したが、白紙の普通紙等であってもよい。
また、上記実施例においては、補充部は２つ設けるとして説明したが、１つであってもよい。
更に、上記実施例においては、自動取引装置は現金自動預払機であるとして説明したが、顧客にレシートを発行するロール紙の補充部を有するレジスタ等であってもよい。
【図面の簡単な説明】
【００５２】
【図１】実施例の現金自動預払機を示すブロック図
【図２】実施例の現金自動預払機の外観を示す説明図
【図３】実施例の明細票印刷部を示すブロック図
【図４】実施例の明細票印刷部の概略構成を示す説明図
【図５】実施例のロール紙の補充処理を示すフローチャート
【図６】実施例の補充用ロール紙の誤装填判定処理を示すフローチャート
【図７】実施例の収容部のロール紙のニアエンド状態を示す説明図
【図８】実施例の補充用ロール紙の誤装填状態を示す説明図
【符号の説明】
【００５３】
１    現金自動預払機
２    ホストコンピュータ
３    通信回線
４    顧客情報データベース
５    主制御部
６    主記憶部
７    操作表示部
８    カード取扱部
８ａ  カード挿入口
９    通帳取扱部
９ａ  通帳挿入口
１０  紙幣入出金部
１０ａ  紙幣入出金口
１１  硬貨入出金部
１１ａ  硬貨入出金口
１２  係員操作部
１３  ジャーナル印刷部
１４  明細票印刷部
２１  制御部
２２  記憶部
２３  ロール紙
２４  印刷部
２５  搬送路
２６  エンドセンサ
２７  カッタ部
３０  収容部
３１  送りベルト
３２  ロール紙ガイド
３２ａ  案内面
３２ｂ  爪部
３４、３４ａ、３４ｂ  補充部
３５  補充用ロール紙
３６  凹部
３７  回転支点
３８  移載レバー
３９  保守扉
４０  開閉検出センサ
４１  警報ランプ
４２  ロール紙検出センサ
４３  ニアエンドセンサ
４４  補充用ロール紙検出センサ
【図１】
0005179942.tif 000002
【図２】
0005179942.tif 000003
【図３】
0005179942.tif 000004
【図４】
0005179942.tif 000005
【図５】
0005179942.tif 000006
【図６】
0005179942.tif 000007
【図７】
0005179942.tif 000008
【図８】
0005179942.tif 000009